(57)【要約】  本明細書中にはバッテリーパッケージが記載され、このバッテリーパッケージは、該バッテリーパッケージ内に受けられるバッテリー間の分離を有利に維持しつつ、バッテリーパッケージからバッテリーを順次に取り出すための再密閉可能な開口ももたらす。更に、バッテリーパッケージは外側カバーを含むことができる。
2020536810.tif 000002
【特許請求の範囲】
【請求項１】
凹状部と、前記凹状部の外周にわたって前記凹状部の縁部から外方に延びる外周フランジとを有するトレイと、
前記凹状部内に配置される湾曲面部であって、前記各湾曲面部が円筒状のバッテリーを内部で受けるように構成される、湾曲面部と、
前記凹状部と前記外周フランジの少なくとも一部とを覆うように配置されるカバーと、
前記トレイと前記カバーとの間に配置される再密閉可能な接着剤と、
前記トレイ上及び前記カバー上にわたって摺動するように構成されるパネル部を有するスリーブであって、前記トレイが前記スリーブ内に挿入される際に前記パネル部が前記カバー及び前記トレイの周囲で延びるようになっている、スリーブと、
を備えるバッテリーパッケージ。
【請求項２】
前記トレイは、そのフランジの縁部から延びるとともに吊り下げ機能部を含むタブを含み、前記タブが前記スリーブの上端を貫通して突出する、請求項１に記載のバッテリーパッケージ。
【請求項３】
前記スリーブは、その上端に隣接するとともにその上端を越えて突出するように構成されるフラップを含み、前記フラップは、前記スリーブの上端に開口を画定して、前記開口を通じて前記タブを受け、それにより、前記トレイを前記スリーブと位置合わせする、請求項２に記載のバッテリーパッケージ。
【請求項４】
前記カバーが可撓性フィルム材料である、請求項１から３のいずれか一項に記載のバッテリーパッケージ。
【請求項５】
前記再密閉可能な接着剤が前記カバーの内面に配置される、請求項１から４のいずれか一項に記載のバッテリーパッケージ。
【請求項６】
前記再密閉可能な接着剤は、前記カバーが前記トレイに接着されるときに前記カバーが前記トレイ内に受けられる円筒状のバッテリーに接着しないように、前記トレイの前記凹状部と位置合わせされる空隙を含む、請求項５に記載のバッテリーパッケージ。
【請求項７】
前記再密閉可能な接着剤が前記トレイの前記外周フランジ上に配置される、請求項１から４のいずれか一項に記載のバッテリーパッケージ。
【請求項８】
前記トレイがスタンド部を含み、該スタンド部は、前記トレイがその前記スタンド部上に少なくとも部分的に載って直立に立つべく構成されるように後方に突出する、請求項１から７のいずれか一項に記載のバッテリーパッケージ。
【請求項９】
前記トレイが前記スリーブ内に挿入されるときに前記スリーブのバックパネル部が前記トレイの前記スタンド部に当接するようになっている、請求項８に記載のバッテリーパッケージ。
【請求項１０】
前記トレイが２つの隣接する凹状部を含み、前記各凹状部が複数の湾曲面部を含み、前記トレイが前記隣接する前記凹状部間で延びる仕切りを含む、請求項１から９のいずれか一項に記載のバッテリーパッケージ。
【請求項１１】
前記スリーブの前記パネル部は、前記カバーの外周及び前記トレイの前記フランジに対応する外周を有するカバーパネル、前記トレイの前記凹状中央部の幅に対応する幅を有するバックパネル、及び、前記カバーと前記バックパネルとの間で延びるサイドパネルを含む、請求項１から１０のいずれか一項に記載のバッテリーパッケージ。
【請求項１２】
後壁と、前記後壁の縁部から延びる側壁と、前記側壁の縁部から外側に延びる外周フランジとを有するベースと、
前記ベース内に入り込むように構成されるトレイであって、凹状部を含むトレイと、
前記凹状部内に配置される湾曲面部であって、前記各湾曲面部が円筒状のバッテリーを内部で受けるように構成される、湾曲面部と、
前記トレイの前記凹状部と前記ベースの前記外周フランジの少なくとも一部とを覆うように配置されるカバーと、
前記ベースと前記カバーとの間に配置される再密閉可能な接着剤と、
前記トレイ上及び前記カバー上にわたって摺動するように構成されるパネル部を有するスリーブであって、前記トレイが前記スリーブ内に挿入される際に前記パネル部が前記カバー及び前記ベースの周囲で延びるようになっている、スリーブと、
を備えるバッテリーパッケージ。
【請求項１３】
前記トレイは、その前記凹状部の縁部から延びるとともに吊り下げ機能部を含むタブを含み、前記タブが前記カバーと前記ベースとの間で前記スリーブの上端を貫通して突出する、請求項１２に記載のバッテリーパッケージ。
【請求項１４】
前記スリーブは、その上端に隣接するとともにその上端を越えて突出するように構成されるフラップを含み、前記フラップは、前記スリーブの上端に開口を画定して、前記開口を通じて前記タブを受け、それにより、前記トレイ、前記ベース、及び、前記カバーを前記スリーブと位置合わせする、請求項１３に記載のバッテリーパッケージ。
【請求項１５】
前記ベースの前記側壁は、前記側壁を貫通して延びる開口を含み、前記開口は、前記タブを挿通して受けるように構成される、請求項１３に記載のバッテリーパッケージ。
【請求項１６】
前記再密閉可能な接着剤が前記カバーの内面上に配置される、請求項１２から１５のいずれか一項に記載のバッテリーパッケージ。
【請求項１７】
前記再密閉可能な接着剤は、前記カバーが前記ベースに接着されるときに前記カバーが前記トレイ内に受けられる円筒状のバッテリーに接着しないように、前記トレイの前記凹状部と位置合わせされる空隙を含む、請求項１６に記載のバッテリーパッケージ。
【請求項１８】
前記再密閉可能な接着剤が前記ベースの前記外周フランジ上に配置される、請求項１２から１５のいずれか一項に記載のバッテリーパッケージ。
【請求項１９】
前記ベースが後方に突出する下部を含み、前記スリーブは、前記ベースが前記スリーブ内に挿入されるときに前記後方に突出する下部と当接するようになっているリアパネルを含む、請求項１２から１８のいずれか一項に記載のバッテリーパッケージ。
【請求項２０】
前記トレイが２つの隣接する凹状部を含み、前記各凹状部が複数の湾曲面部を含み、前記トレイが前記隣接する前記凹状部間で延びる仕切りを含む、請求項１２から１９のいずれか一項に記載のバッテリーパッケージ。
【請求項２１】
前記スリーブの前記パネル部は、前記カバーの外周及び前記ベースの前記フランジに対応する外周を有するカバーパネル、前記ベースの幅に対応する幅を有するバックパネル、及び、前記カバーと前記バックパネルとの間で延びるサイドパネルを含む、請求項１２から２０のいずれか一項に記載のバッテリーパッケージ。
【請求項２２】
前記カバーが可撓性フィルム材料である、請求項１２から２１のいずれか一項に記載のバッテリーパッケージ。
【発明の詳細な説明】
【技術分野】
【０００１】
本開示は、一般にパッケージに関し、より具体的には、バッテリー用のパッケージに関する。
【背景技術】
【０００２】
バッテリーは、それらが金属と接触する場合に又は１つのバッテリーのプラス端子が他のバッテリーのマイナス端子と接触する場合に電気の伝導を開始する場合がある。結果として、金属と接触する状態になるバッテリー又はマイナス端子と接触する状態になるプラス端子を伴うバッテリーは、急速に消耗して、熱をもたらし得る。したがって、適切な保管がそのような事象の発生を最小限に抑えるはずである。
【発明の概要】
【０００３】
本明細書中には、凹状部と、該凹状部の外周にわたって凹状部の縁部から外方に延びる外周フランジとを有するトレイを含むバッテリーパッケージが記載される。凹状部は湾曲面部を含み、この場合、各湾曲面部は、円筒状のバッテリーを内部で受けるように構成される。バッテリーパッケージは、凹状部と外周フランジの少なくとも一部とを覆うように配置されるカバーと、トレイとカバーとの間に配置される再密閉可能な接着剤とを更に含む。更に、バッテリーパッケージは、トレイ上及びカバー上にわたって摺動するように構成されるパネル部を有するスリーブを含む。パネル部は、トレイがスリーブ内に挿入される際にカバー及びトレイの周囲で延びるように構成される。
【０００４】
実施形態において、トレイは、そのフランジの縁部から延びてスリーブの上端を貫通して突出するタブを含むことができる。実施形態において、スリーブは、その開口した上端に隣接するとともにその開口した上端を越えて突出するように構成されるフラップを含むことができ、この場合、フラップは、スリーブの上端に開口を画定して、該開口を通じてタブを受け、それにより、トレイをスリーブと位置合わせする。
【０００５】
幾つかの実施形態では、トレイがスタンド部を含むことができ、該スタンド部は、トレイがそのスタンド部上に少なくとも部分的に載って直立に立つべく構成されるように後方に突出する。実施形態において、スリーブは、トレイがスリーブ内に挿入されるときにスタンド部に当接するリアパネルを含むことができる。
【０００６】
他の形態では、後壁と、該後壁の縁部から延びる側壁と、該側壁の縁部から外側に延びる外周フランジとを有するベースを含むバッテリーパッケージが本明細書中に記載される。バッテリーパッケージは、ベース内に入り込むように構成される凹状部を伴うトレイを更に含む。凹状部は湾曲面部を含み、この場合、各湾曲面部は、円筒状のバッテリーを内部で受けるように構成される。また、バッテリーパッケージは、トレイの凹状部とベースの外周フランジの少なくとも一部とを覆うように配置されるカバー、ベースとカバーとの間に配置される再密閉可能な接着剤、並びに、トレイ上及びカバー上にわたって摺動するように構成されるパネル部を有するスリーブも含む。パネル部は、トレイがスリーブ内に挿入される際にカバー及びベースの周囲で延びるように構成される。
【０００７】
実施形態において、トレイは、その凹状部の縁部から延びるタブを含み、該タブはカバーとベースとの間でスリーブの上端を貫通して突出する。実施形態において、スリーブは、その上端に隣接するとともにその上端を越えて突出するように構成されるフラップを含むことができ、フラップは、上端に開口を画定して、該開口を通じてタブを受け、それにより、トレイ、ベース、及び、カバーをスリーブと位置合わせする、実施形態において、ベースの側壁は、該側壁を貫通して延びる開口を含むことができ、開口は、タブを挿通して受けるように構成される。
【０００８】
幾つかの実施形態では、ベースは、ベースがそのスタンド部上に少なくとも部分的に載って直立に立つべく構成されるように後方に突出する下部を含むことができる。実施形態において、スリーブは、ベースがスリーブ内に挿入されるときに後方に突出する下部と当接するようになっているリアパネルを含むことができる。
【０００９】
先のニーズは、特に図面と併せて検討される場合に、以下の詳細な説明に記載されるバッテリーパッケージを提供することによって少なくとも部分的に満たされる。
【図面の簡単な説明】
【００１０】
【図１】本開示の様々な実施形態に係るバッテリーパッケージの背面斜視図である。
【図２】本開示の様々な実施形態に係る図１のバッテリーパッケージの背面図である。
【図３】本開示の様々な実施形態に係る図１のバッテリーパッケージの正面図である。
【図４】本開示の様々な実施形態に係る図１のバッテリーパッケージの側面図である。
【図５】本開示の様々な実施形態に係る図１のバッテリーパッケージの上面図である。
【図６】本開示の様々な実施形態に係る図１のバッテリーパッケージの底面図である。
【図７】本開示の様々な実施形態に係る図１のバッテリーパッケージのトレイ及びカバーの斜視図である。
【図８】本開示の様々な実施形態に係るバッテリーパッケージの第２の実施形態における分解斜視図である。
【図９】本開示の様々な実施形態に係る図８のバッテリーパッケージの正面図である。
【図１０】本開示の様々な実施形態に係る図８のバッテリーパッケージの側面図である。
【図１１】本開示の様々な実施形態に係る図８のバッテリーパッケージの背面図である。
【００１１】
当業者であれば分かるように、図中の要素は、簡単に且つ明確にするように例示されており、必ずしも原寸に比例して描かれていない。例えば、図中の要素の幾つかの寸法及び／又は相対的な位置は、本発明の様々な実施形態の理解を高めるのを助けるべく他の要素に対して誇張される場合がある。また、商業的に実現可能な実施形態において有用な一般的であるが十分に理解された要素は、これらの様々な実施形態の視野が殆ど遮られないように促すべく描かれない場合がある。特定の行為及び／又はステップが特定の発生順序で説明される又は描写される場合があることが更に分かるが、当業者であれば理解できるように、シーケンスに関するそのような特異性は実際には必要とされない。異なる特定の意味が本明細書中に別段に記載されている場合を除き、本明細書中で使用される用語及び表現が、前述の技術分野の当業者によりそのような用語及び表現と合致されるような通常の技術的意味を有することも理解され得る。
【発明を実施するための形態】
【００１２】
本明細書中にはバッテリーパッケージが記載され、このバッテリーパッケージは、該バッテリーパッケージ内に受けられるバッテリー間の分離を有利に維持しつつ、バッテリーパッケージからバッテリーを順次に取り出すための再密閉可能な開口ももたらす。更に、バッテリーパッケージは、保管中に様々な個々の構成要素を一緒に保持するための外側カバー又はスリーブを含むことができる。
【００１３】
第１の形態の典型的なバッテリーパッケージ１０が図１〜図７に示される。バッテリーパッケージ１０は、トレイ１２、カバー１４、及び、長手方向軸Ｌにほぼ沿って延びるスリーブ１６を含む。図７に示されるように、トレイ１２は、円筒側壁２０を有するバッテリー１８を内部で受けるように構成され、一方、カバー１４は、トレイ１２に接着してトレイとの間でバッテリー１８を固定するように構成される。閉じられた形態では、すなわち、トレイ１２がスリーブ１６内に収容される際には、スリーブ１６がトレイ１２及びカバー１４の周囲で延びる。
【００１４】
トレイ１２の詳細が図７に示される。トレイ１２は、凹状の中央部２２と、凹状の中央部２２から外側に延びる外周フランジ２４とを含む。凹状の中央部２２は、後壁２６と、後壁２６と外周フランジ２４との間で延びる側壁２８とを有する。凹状の中央部２２は、バッテリー１８を内部で受けるように構成され、好ましくは、バッテリー１８が外周フランジ２４の平面を破壊しないようにバッテリー１８が内部に完全に受けられるべく寸法付けられる。
【００１５】
後壁２６は、それぞれが湾曲した部分的に円筒状の形態を伴う表面を有する複数のベイ３０を含み、各ベイ３０は、パッケージ１０の長手方向軸Ｌに沿って平行方向に延びる。好ましくは、ベイ２８の円筒形態は、バッテリー１８がベイ内に受けられるときにベイ２８がバッテリーの横方向の動きを制限するようにバッテリー１８の円筒側壁２０に対して相補的となるべく寸法付けられる。更に、ベイの端壁２９間のベイ２８の長さは、ベイ内に受けられるようになっているバッテリー１８の長さよりも僅かに大きくなる、例えば約１〜５ｍｍ大きくなるように寸法付けられ得る。そのように構成されると、ベイ２８と凹状の中央部２２の寸法とが協働してバッテリー１８の動きを制限する。更に、バッテリー１８の動きを制限することは、バッテリー１８の端子３１がパッケージ１０内に受けられるときに互いに接触するのを防止することにも有利に役立つ。
【００１６】
トレイ１２は、好適には、任意の所望の数のバッテリー１８をその内部に格納するように構成され得る。例えば、図示のトレイ１２は４つのベイ３０の列３２を含むが、任意の所望の数のベイ３０が列３２を成して設けられ得る。更に、図７に示されるように、トレイ１２は複数の凹状部２２を含むことができる。複数の凹状部２２をそれらの間で延びる仕切り３４を伴う積み重ね形態で設けることができ、仕切り３４はその両側にベイ３０のための端壁２９を設ける。１つの手法において、仕切り３４は、端壁２９間で延びる前方に面する壁３６を含む。前方に面する壁３６は、ベイ３０の底面の上方に配置され、また、端壁２９は、凹状部２２内のバッテリー１８のマイナス端子と第２の凹状部２２内の異なるバッテリー１８のプラス端子との間の接触を防止できる。図示の形態では、前方に面する壁３６がフランジ２４に対して凹んでいる。或いは、前方に面する壁３６は、フランジ２４と同一平面上にあってもよい。
【００１７】
図４に示されるように、トレイ１２は、後方に突出するスタンド部３８を更に含むことができる。そのように構成されると、トレイ１２は、その前部４２に沿ってフランジ２４の下縁部４０上に載るとともにその後部４６でスタンド部３８の下縁部又は表面４４上に載る直立姿勢で立つことができる。必要に応じて、フランジ２４及びスタンド部３８は、トレイ１２が垂直に対して僅かに傾斜した向きで静止するように寸法付けられ得る。例えば、トレイ１２は、垂直に対して約５度〜約３０度、より具体的には約１０度〜約２０度、更に具体的には約１０度〜約１５度の角度を成すことができる。
【００１８】
図示の形態において、スタンド部３８は、ベイ３０の最下列３２に対応する後壁２６の下部４８から後方に延びる略平行六面体形状を有する。この形状により、スタンド部３８は、英数字材料（例えば、ブランド又はバッテリー１８の他の識別）の配置に適した後壁５０、上壁５４、下壁５６、及び、それらの間で延びる側壁５８を含む。英数字材料は、図示のようにトレイ１２に形成され、エンボス加工され、印刷され、ラベルなどを使用してトレイに接着され得る。
【００１９】
別の形態（図示せず）において、スタンド部３８は、後壁２６、後壁２６と側壁２８との間の角部、又は、フランジ２４の下縁部４０から突出する１つ以上の後方に延びる壁によってもたらされ得る。後方に延びる壁は、長手方向軸Ｌに対して略垂直、長手方向軸に対して角度を成す、複数の略垂直な壁など、任意の所望の形態を有することができる。
【００２０】
また、トレイ１２は、そこから突出するタブ６０を含むこともでき、該タブは、吊るし穴などの吊り下げ機能部６２を有する。図示の実施形態において、タブ６０は、外周フランジ２４の上縁部６４から突出している。図示のように、タブ６０は、外周フランジ２４から突出しつつ、後壁２６に向かって折り曲げられて、トレイ１２の中間の深さの上方に突出する。より具体的には、タブ６０は、長手方向軸Ｌに対して略垂直な第１の折り曲げ部６６であって、フランジ２４の上縁部６４から延びる第１の折り曲げ部６６と、第１の折り曲げ部６６に対して略垂直な第２の折り曲げ部６８であって、後方に延びる壁部７０によって第１の折り曲げ部６６から離間されるとともに、第１の折り曲げ部６６とは反対側の後方に延びる壁部７０の縁部から延びる第２の折り曲げ部６８とを含む。この形態において、タブ６０は、トレイ１２がスリーブ１６内に収容されるときに長手方向軸Ｌにほぼ沿って上方に突出する。図示の形態において、壁部７０は、トレイ１２の凹状の中央部２２の深さ、より具体的には、凹状の中央部２２の深さの約半分よりも浅くなるように寸法付けられる。吊り下げ機能部６２は、一般に理解されているように、任意の適切な形状及び／又は形態を成すことができる。
【００２１】
トレイ１２は、プレスされた紙パルプ、射出成形、ブロー成形などを使用するモールドにおけるなど、任意の適切な方法を使用して形成され得る。任意の適切な板紙又はプラスチック材料を使用してトレイを形成してもよく、例えば、ナイロン、ポリプロピレン、ポリエチレン、ポリカーボネート、アクリル、ポリカーボネート、ポリ塩化ビニル、及び、ポリエチレンテレフタレートが使用されてもよい。
【００２２】
図７に示されるように、カバー１４は、トレイ１２、より具体的にはそのフランジ２４にほぼ対応するフットプリントを伴う平面形態を有する。図示の形態では、カバー１４が可撓性フィルム材料である。更に、カバー１４は、ユーザがトレイ１２内に残っているバッテリー１８を見ることができるように透明又は半透明にすることができる。勿論、もう１つの方法として、カバー１４を必要に応じて可撓性、剛性、又は、半剛性にすることができる。一般に、カバー１４は、インフレーションフィルム押出、キャストフィルム押出などにより製造される。カバー１４は、任意の適切な板紙又はプラスチック材料を備えてもよく、例えば、ナイロン、セロファン、ポリプロピレン、ポリエチレン、ポリカーボネート、アクリル、ポリカーボネート、ポリ塩化ビニル、及び、ポリエチレンテレフタレートが使用されてもよい。更に、必要に応じて、例えば複数の凹状部２２を有するトレイ１２の場合には、カバー１４を複数の別個の部分に分割することができる。例えば、各カバー１４は、凹状部２２のうちの１つを覆って、その周囲で延びるフランジ２４の部分に接着することができる。更に、仕切り壁３６がフランジ２４と同一平面上にある又はフランジ２４から僅かにオフセットしている場合、１つ又は複数のカバー１４は、仕切り壁３６の一部に更に接着できるとともに、列３２内に収容されたバッテリー１８が取り外され／使用された時点でカバーを容易に除去できるように穿孔可能であってもよい。
【００２３】
前述のように、トレイ１２及びカバー１４は互いに接着接続される。好ましい手法において、トレイ１２及びカバー１４は、図７に示されるように再密閉可能な接着剤７２を使用して互いに結合される。例えば、再密閉可能な接着剤７２が感圧接着剤であってもよい。このようにすると、ユーザがカバー１４を引き剥がして１つ以上のバッテリー１８を取り外すときに、ユーザは、トレイ１２に対してカバー１４を再密閉して、残りのバッテリー１８をトレイ内に固定することができる。更に、ベイ３０の複数の列３２を有するパッケージ１０を用いると、ユーザは、トレイ１２の所望の部分を露出させるためにカバー１４を引き剥がすだけで済む。必要に応じて、接着剤のないカバー１４のタブ３３を設けて、ユーザがカバー１４を開放のために容易に握ることができるようにすることができる。タブ３３は、図示のように角部にあってもよく、側面に沿ってあってもよく、又は、それらの組み合わせであってもよい。
【００２４】
第１の手法により、再密閉可能な接着剤７２をトレイ１２の外周フランジ２４上に配置することができる。そのように構成されると、カバー１４をフランジ２４と位置合わせしてフランジに貼り付けることができる。感圧接着剤を使用すると、圧力を使用してカバー１４をフランジ２４に接着することができる。
【００２５】
第２の手法により、再密閉可能な接着剤７２を、少なくともトレイ１２の外周フランジ２４に対応して外周フランジ２４と接触できる領域でカバー１４上に配置することができる。この形態の再密閉可能な接着剤７２は、カバー１４の外周から内側に離間されるとともにカバー１４がトレイ１２に接着されるときに凹状部２２と位置合わせするように構成される空隙７４を含むことができる。したがって、カバー１４は、トレイ１２内のバッテリー１８に付着しない。空隙７４は、その上に接着剤が配置されていない領域でもよく、又は、接着剤が不活性にされるように接着剤７２上に接着鈍化材料が配置された領域でもよい。
【００２６】
スリーブ１６の一例が図１〜図７に示される。スリーブ１６は、フロントパネル７６、リアパネル７８、及び、フロントパネル７６とリアパネル７８との間で延びるサイドパネル８０を含む。そのように構成されると、スリーブ１６は、上端８２と下端８４との間に延びる管状形態を有する。図示のように、上端８２及び下端８４は開放し得る。スリーブ１６は、トレイ及びカバーが互いに接着されるときにトレイ１２上及びカバー１４にわたって摺動するように構成される。
【００２７】
図示の形態では、スリーブ１６の断面が略台形形態を有し、この場合、フロントパネル７６は、トレイ１２及びカバー１４の外周フランジ２４に対応する外周を有し、リアパネル７８は凹状部２２の幅に対応する幅を有し、サイドパネル８０はフロントパネルとリアパネルとの間で延びる。リアパネル７８は、トレイ１２及びカバー１４がスリーブ１６内に完全に受けられるときにスタンド部３８と当接するようになっている長さを有することができる。したがって、この形態のリアパネル７８は、フロントパネル７６よりも短い長さを有する。随意的に、サイドパネル８０は、図示のようにリアパネル７８に又はフロントパネル７６に対応する長さを有することができる。スリーブ１６は、板紙又は段ボールなどの任意の適した材料から形成され得る。スリーブ１６は、材料のシートから切断されて、図示のように折り曲げられ、そのパネル部を形成することができる。スリーブの管状形態を保持するために、スリーブは、例えばそのサイドパネル８０のうちの１つに沿う重合部を含むことができ、それにより、重合部を互いに接着或いはさもなければ固定することができる。或いは、任意の適したプラスチック材料、例えば、ナイロン、ポリプロピレン、ポリエチレン、ポリカーボネート、アクリル、ポリカーボネート、ポリ塩化ビニル、及び、ポリエチレンテレフタレートが使用されてもよい。
【００２８】
図１に示されるように、スリーブ１６は、リアパネル７８の上縁部８８から延びるフラップ８６を更に含むことができる。フラップ８６は、スリーブ１６の開放した上端８２を覆うように折れ曲がって上端８２上にわたって固定されるように構成される。例えば、フラップ８６は、接着剤、フラップのタブ及び開口部とフロントパネル７６の上縁部などとの間の機械的相互作用などの任意の適した機構によってフロントパネル７６の内面に固定され得る。或いは、フラップ８６は、サイドパネル８０の上縁部から延びるフラップに固定され得る。必要に応じて、下端８４は同様の形態を含むことができる。フラップ８６は、随意的に、細長いスロット開口９０を更に含む又は画定する。スロット開口９０は、フラップ８６を貫通して延びることができ、又は、その縁部に隣接することができる。開口９０は、フラップ８６が折り曲げられるときに、フロントパネル７６とリアパネル７８との間の中間位置に配置されるように構成される。したがって、トレイ１２がスリーブ１６内に滑り込まされる際に、そのタブ６０が開口９０を通って延び、その壁部７０がフラップ８６に当接する。この形態は、カバー１４が接着されたトレイ１２をスリーブ１６内で効果的に位置合わせする。更に、タブ６０の吊り下げ機能部６２を使用して製品ディスプレイにトレイ１２が吊り下げられると、スリーブ１６が外れることが防止される。必要に応じて、フラップ８６とリアパネル７８との間の接続部は、ユーザが購入後にフラップ８６を容易に取り外すことができるように、ミシン目、切り込み線などの脆弱ラインとすることができる。同様に、タブ６０とトレイ１２との間に脆弱ラインが含まれてもよい。
【００２９】
バッテリーパッケージ１００のための別の形態が図８〜図１１に示される。この形態のパッケージ１００は、前述のパッケージ１０との多くの類似点を含むため、ここでは相違点のみを説明する。
【００３０】
この形態のパッケージ１００は、トレイ１２’、カバー１４’、及び、スリーブ１６’を含むとともに、ベース１０２を更に含む。ベース１０２は、後壁１０４、側壁１０６、及び、後壁１０４と対向する側壁１０６の外周から外側に延びる外周フランジ１０８を含む。ベース１０２は、その中にトレイ１２’を受けるように構成される内部１１０を画定する。
【００３１】
図示のように、トレイ１２’は、ベース１０２内に入れ込まれ、ベース１０２とカバー１４’との間に捕捉される。再密閉可能な接着剤７２’をカバー１４’とベース１０２の外周フランジ１０８との間に配置することができる。或いは、カバー１４’をトレイ１２’のフランジ２４’に接着することができる。上記の形態と同様に、接着剤７２’は、対応する空隙７４を伴うカバー１４’上に配置され得る、或いは、ベースの外周フランジ１０８上及び／又はトレイのフランジ２４’上に配置され得る。
【００３２】
他の態様において、トレイ１２’のタブ６０’は、上記の形態の折り曲げ部を伴うことなく上方に突出することができる。したがって、第１の形態では、トレイ１２’がベース１０２内に入れ込まれると、タブ６０’は、ベース１０２のフランジ１０８の前方に突出し、カバー１４’がベース１０２に接着される際にフランジ１０８とカバー１４’との間に少なくとも部分的に捕捉され得る。必要に応じて、スリーブ１６’は、随意的に、ベース１０２、トレイ１２’、及び、カバー１４’をスリーブ１６’内で位置合わせするために同様に構成されたフラップ８６’を含むことができる。第２の形態では、図１１に示されるベース１０２のように、側壁１０６は、トレイ１２’がベース１０２内に入れ込まれるときにタブ６０’を挿通して受けるように構成される細長い開口１１１をその上端部に含むことができる。
【００３３】
更に、トレイ１２’の入れ子形態に起因して、ベース１０２は、スリーブ１６’のリアパネル７８’に当接する後方突出部１１２を含むことができる。後方突出部１１２は、パッケージ１００のための直立機能を与えるように構成されなくてもよいが、後方突出部１１２は、パッケージ１００が同様に直立姿勢で立って後方突出部１１２上及びフランジ１０８の前縁部１１４上に載ることができるように前述のスタンド部３８と同様の寸法又は形態を有することができる。
【００３４】
当業者であれば分かるように、本発明の範囲から逸脱することなく、前述の実施形態に関して多種多様な修正、変更、及び、組み合わせを成すことができ、また、そのような修正、変更、及び、組み合わせは本発明の概念の範囲内にあると見なされるべきである。
【図１】
2020536810.tif 000003
【図２】
2020536810.tif 000004
【図３】
2020536810.tif 000005
【図４】
2020536810.tif 000006
【図５】
2020536810.tif 000007
【図６】
2020536810.tif 000008
【図７】
2020536810.tif 000009
【図８】
2020536810.tif 000010
【図９】
2020536810.tif 000011
【図１０】
2020536810.tif 000012
【図１１】
2020536810.tif 000013
【国際調査報告】
2020536810.tif 000014
2020536810.tif 000015
2020536810.tif 000016